(57)【要約】【課題】作業工程がより簡略化され、金具などの部材の数も少なくしながらも、建物躯体に、容易に位置精度良く、ＡＬＣパネルを建物躯体に取付ける。【解決手段】上端小口面にアンカーが埋設され、下端小口面に凹部が設けられているＡＬＣパネル（１）に、断面Ｌ字状で、垂直部と水平部と屈曲部とからなり、該水平部の中央に前記屈曲部から伸長するスリットが設けられているＬ字金具（４）を、アイボルト（３）をスリットを介してＡＬＣパネル（１）のアンカーに螺合させることで取り付け、ＡＬＣパネル（１）を吊り上げた後、ＡＬＣパネル（１）の凹部を下側パネルのアイボルトに位置合わせして、下側パネルのＬ字金物に載置し、その後、ＡＬＣパネル（１）の上側にあるＬ字金物（４）の垂直部を建築躯体に固定する。【選択図】図１
2009084945.tif 000002
【特許請求の範囲】
【請求項１】
断面Ｌ字状で、垂直部と水平部と該垂直部と水平部を連続させる屈曲部とからなり、該水平部の中央に挿通孔もしくは前記屈曲部から伸長するスリットが設けられているＬ字金具と、アイボルトとを含み、前記挿通孔もしくはスリットは、前記アイボルトのネジ部を挿通可能であるが、該アイボルトの首部より狭い幅を有している軽量気泡コンクリートパネルの取付金具であって、前記アイボルトのネジ部を前記Ｌ字金具の挿通孔もしくはスリットを介して、前記軽量気泡コンクリートパネルの上端小口面に埋設されているアンカーに螺合することで、軽量コンクリートパネルを吊り上げ可能とし、前記Ｌ字金具の垂直部を建物躯体もしくは該建物躯体に取り付けられている下地鋼材に固定することで、前記ＡＬＣパネルを該建物躯体に取り付けることを可能としている軽量気泡コンクリートパネルの取付金具。
【請求項２】
上端小口面にアンカーが埋設され、下端小口面に凹部が設けられている軽量コンクリートパネルと、断面Ｌ字状で、垂直部と水平部と該垂直部と水平部を連続させる屈曲部とからなり、該水平部の中央に挿通孔もしくは前記屈曲部から伸長するスリットが設けられているＬ字金具と、アイボルトとを用い、前記アイボルトのネジ部を前記Ｌ字金具の挿通孔もしくはスリットを介して、前記軽量気泡コンクリートパネルの上端小口面に埋設されているアンカーに螺合し、前記Ｌ字金具を前記軽量コンクリートパネルの上端小口面と前記アイボルトの首部との間に載置した状態で、前記軽量コンクリートパネルを前記アイボルトにより吊り上げ、前記Ｌ字金具の垂直部を建物躯体もしくは該建物躯体に取り付けられている下地鋼材に固定することを含む軽量気泡コンクリートパネルの取付方法。
【請求項３】
前記軽量気泡コンクリートパネルの吊り上げ後、該軽量気泡コンクリートの下に配置される別の軽量気泡コンクリートパネル上に設けられたＬ字金具上に配置するに際して、該軽量気泡コンクリートの下端小口面の凹部が、前記別の軽量気泡コンクリートパネル上にあるアイボルトの頭部を収容するようにする請求項２に記載の軽量気泡コンクリートパネルの取付方法。
【請求項４】
請求項２に記載の軽量気泡コンクリートパネルの取付方法に使用され、上端小口面に開口する孔にアンカーが埋設され、アイボルトの頭部を収容可能な凹部が下端小口面に設けられている軽量気泡コンクリートパネル。
【発明の詳細な説明】
【技術分野】
【０００１】
本発明は、軽量気泡コンクリートパネル（以下、「ＡＬＣパネル」という）の取付金具および取付方法に関する。
【背景技術】
【０００２】
壁となるＡＬＣパネルを建物駆体に取付ける際に、ＡＬＣパネルを吊り上げる方法として、例えば、図４に示す方法がある（特許文献１参照）。ＡＬＣパネル（１）は、図４に示すように、短辺小口面を上にして立てた状態で建て込まれる。
【０００３】
まず、ＡＬＣパネル（１）の内部で、短辺の上端小口面に近い所定高さの中央位置（Ｃ）を通るように、主面に平行に一方の側方小口面に開口して水平方向に伸長するアンカー用孔（１１）を穿設する。また、中央位置（Ｃ）でアンカー用孔（１１）に垂直に連通し、一方の主面に開口して水平方向に伸長するＯボルト用孔（１２）を穿設する。さらに、中央位置（Ｃ）でアンカー用孔（１１）に垂直に連通し、上端小口面に開口して鉛直方向に伸長する吊金具用孔（１３）を穿設する。
【０００４】
次に、吊金具用孔（１３）に、下端に挿通孔（１５ａ）を有するロングナットからなる吊金具（１５）を挿入し、また、Ｏボルト用孔（１２）に、一方端に挿通孔（１６ａ）を有するＯ金具（１６）を挿入した後、アンカー用孔（１１）に、アンカー（１４）を挿入して、アンカー（１４）を、吊金具（１５）の挿通孔（１５ａ）とＯボルト（１６）の挿通孔（１６ａ）とに挿通させる。
【０００５】
以上のようにして、ＡＬＣパネル（１）の上部に吊金具（１５）を垂直に埋設させ、吊金具（１５）の頂部にアイボルト（１５ｂ）を螺合させた後、アイボルト（１５ｂ）をシャックルなどの吊り具を介して引上げ用のワイヤなどに接続させ、ＡＬＣパネル（１）を吊り上げる。
【０００６】
このように、ＡＬＣパネル（１）を吊り上げる際に、アイボルト（１５ｂ）を用いる必要があるが、該ＡＬＣパネル（１）の上方にさらにＡＬＣパネルを配設するために、吊り上げたＡＬＣパネル（１）を建物の躯体に取り付ける際に、ＡＬＣアイボルト（１５ｂ）を吊金具（１５）から外してから、Ｏボルト（１６）に取り付けられたパネル取付金具（１７）を、建物の躯体に設置された下地鋼材（図示せず）に取り付ける。
【０００７】
以上の方法では、ＡＬＣパネル（１）を吊り上げる前に、現場で、吊金具（１５）をＡＬＣパネル（１）に埋設し、Ｏボルト（１６）およびアンカー（１４）を挿入して、アンカー（１４）を、吊金具（１５）の挿通孔（１５ａ）とＯボルト（１６）の挿通孔（１６ａ）とに挿通させる必要がある。また、ＡＬＣパネル（１）の１枚ごとに、手作業で、アイボルト（１５ｂ）を外すための手間や時間が必要となる。さらに、ＡＬＣパネル（１）の取付けにおいて、ＡＬＣパネル（１）の室内側に、専用のパネル取付金具（１７）が表れることになったり、パネル取り付けに必要な金物の点数が多い、当該ＡＬＣパネル（１）の上に配置される別のＡＬＣパネルの自重受け金具が別途必要であるという問題がある。加えて、作業中に、アイボルト（１５ｂ）を落下させるという危険性もある。
【０００８】
また、アイボルト（１５ｂ）は、２枚から３枚程度のＡＬＣパネル（１）について吊り上げ作業後に廃棄されるため、資源の無駄遣いになるという問題もある。
【０００９】
これに対して、図５に示すような取付金具を用いたＡＬＣパネル（１）の取付方法も用いられている（特許文献２参照）。この方法では、まず、中央部と一端にネジ孔が設けられているパイプアンカー（２２）と、垂直部と水平部からなり、該垂直部の中央下半分にスリットが設けられた断面Ｔ字状のパネル取付金具（２３）とを用いる。ＡＬＣパネル（１）の上端小口面の中央部に縦方向にアンカー用孔（２０）を穿設し、主面からアンカー用孔（２０）に連通するように、取付ボルト用孔（２１）を穿設し、アンカー用孔（２０）にパイプアンカー（２２）を挿入する。そして、パネル取付金具（２３）のスリットを介して、取付ネジ（２４）を取付ネジ用孔（２１）に挿入し、パイプアンカー（２２）の中央部のネジ孔に螺合する。ＡＬＣパネル（１）を吊り上げる際には、パイプアンカー（２２）の一端のネジ孔にアイボルトを螺合して用い、取り付けに際しては、パネル取付金具（２３）の垂直部を、建物の躯体に設置された下地鋼材（図示せず）に取り付ける。
【００１０】
この方法では、ＡＬＣパネルに対して孔を穿設するなどの作業工程がより簡略化され、パネル取付金具が、取り付けるＡＬＣパネルの上に配置される別のＡＬＣパネルの自重受け金具を兼ねるなど、用いられる部材の数も減少している。しかしながら、アイボルト（１５ｂ）の取外し作業およびこれに起因する問題は残っている。
【特許文献１】特開平６−１０５１２号公報
【特許文献２】特開２００６−３２２２０７号公報
【発明の開示】
【発明が解決しようとする課題】
【００１１】
本発明の目的は、作業工程がより簡略化され、金具などの部材の数も少なくしながらも、建物躯体に、容易に位置精度良く、ＡＬＣパネルを取付けることができる取付金具および取付方法を提供することにある。
【課題を解決するための手段】
【００１２】
本発明に係る軽量気泡コンクリートパネルの取付金具は、断面Ｌ字状で、垂直部と水平部と該垂直部と水平部を連続させる屈曲部とからなり、該水平部の中央に挿通孔もしくは前記屈曲部から伸長するスリットが設けられているＬ字金具と、アイボルトとを含み、前記挿通孔もしくはスリットは、前記アイボルトのネジ部を挿通可能であるが、該アイボルトの首部より狭い幅を有しており、前記アイボルトのネジ部を前記Ｌ字金具の挿通孔もしくはスリットを介して、前記軽量気泡コンクリートパネルの上端小口面に埋設されているアンカーに螺合することで、軽量コンクリートパネルを吊り上げ可能とし、前記Ｌ字金具の垂直部を建物躯体もしくは該建物躯体に取り付けられている下地鋼材に固定することで、前記ＡＬＣパネルを該建物躯体に取り付けることを可能としている。
【００１３】
また、本発明に係る軽量気泡コンクリートパネルの取付方法は、上端小口面にアンカーが埋設され、下端小口面に凹部が設けられている軽量コンクリートパネルと、断面Ｌ字状で、垂直部と水平部と該垂直部と水平部を連続させる屈曲部とからなり、該水平部の中央に挿通孔もしくは前記屈曲部から伸長するスリットが設けられているＬ字金具と、アイボルトとを用い、前記アイボルトのネジ部を前記Ｌ字金具の挿通孔もしくはスリットを介して、前記軽量気泡コンクリートパネルの上端小口面に埋設されているアンカーに螺合し、前記Ｌ字金具を前記軽量コンクリートパネルの上端小口面と前記アイボルトの首部との間に載置した状態で、前記軽量コンクリートパネルを前記アイボルトにより吊り上げ、前記Ｌ字金具の垂直部を建物躯体もしくは該建物躯体に取り付けられている下地鋼材に固定する工程を有する。
【００１４】
前記軽量気泡コンクリートパネルの吊り上げ後、該軽量気泡コンクリートの下に配置される別の軽量気泡コンクリートパネル上に設けられたＬ字金具上に配置するに際して、該軽量気泡コンクリートの下端小口面の凹部が、別の軽量気泡コンクリートパネル上にあるアイボルトの頭部を収容するようにする。
【００１５】
当該方法の実施にあたっては、上端小口面に開口する孔にアンカーが埋設され、アイボルトの頭部を収容可能な凹部が下端小口面に設けられている軽量気泡コンクリートパネルを用いる。
【発明の効果】
【００１６】
本発明に係るパネル取付金具を用いることで、パネル上部の埋設アンカーに螺合されたパネル吊り上げ用のアイボルトを利用することにより、ＡＬＣパネルの吊り上げを可能とすると共に、パネル取付金具のＬ字金具を建物躯体もしくは該建物躯体に取り付けられている下地鋼材に固定することにより、簡易に該ＡＬＣパネルを建物躯体に取り付けることを可能としている。該ＡＬＣパネルの上に配置される別のＡＬＣパネルの下端小口面に設けられた凹部に、このアイボルトの頭部を収容することで、ＡＬＣパネルが建て込まれた後に、アイボルトを外す手間がなくなり、また、アイボルトの落下を問題とする必要もなくなる。
【００１７】
また、ＡＬＣパネルには、アンカー埋設用の孔と凹部を設けるだけで良く、従来のように、複数の孔を連通させたり、該孔の中で部材間を螺合などにより接続させる手間もかからず、施工能率が大幅に向上する。
【００１８】
さらに、パネル取付金具が自重受け金具を兼ね、Ｌ字金具、アイボルト、アンカーのみという少ない部材数でＡＬＣパネルの取付が可能となる。加えて、アイボルトをＡＬＣパネルの取付用の部材として取り込むことで、その廃棄が不要となり、資源の無駄も防止される。
【発明を実施するための最良の形態】
【００１９】
本発明のＡＬＣパネルの取付金具および取付方法の一実施態様について、図面を参照しながら説明する。図１に本発明に係るＡＬＣパネルの取付金具を用いて、ＡＬＣパネルを建物躯体に対して取り付けた状態を示す断面図である。図２は、本発明のパネル取付金具を構成するＬ字金具の斜視図である。図３は、本発明のパネル取付金具を用いた取付状態における、該パネル取付金具の下地鋼材（建物躯体側）とアンカー（ＡＬＣパネル側）に対する関係を示す斜視図である。
【００２０】
本発明に係る軽量気泡コンクリートパネルの取付金具は、Ｌ字金具（４）とアイボルト（３）からなる。
【００２１】
このうち、Ｌ字金具（４）は、鋼材製の板状部材を屈曲させることにより得られ、断面Ｌ字状で、垂直部（４ｂ）と水平部（４ａ）と該垂直部と水平部を連続させる屈曲部（４ｃ）とからなる。また、アイボルト（３）は、従来と同様に、鋼材製で、挿通孔を有するＯ字状の頭部とネジ部と該頭部とネジ部の間にある首部とからなる。
【００２２】
Ｌ字金具（４）の大きさは、これを用いて取り付けられるＡＬＣパネル（１）の大きさにより任意である。一般的には、水平部（４ａ）の屈曲部（４ｃ）からの長さは、ＡＬＣパネル（１）の小口面の幅に応じて定められる。また、垂直部（４ｂ）の屈曲部（４ｃ）からの長さは、該垂直部（４ｂ）が固定される建物躯体（５）もしくは該建物躯体（５）に取り付けられている下地鋼材（６）に対して、同様に固定される上側のＡＬＣパネル（１）の下部の取付の妨害とならないように決定される。
【００２３】
該水平部（４ａ）の中央には、挿通孔もしくは前記屈曲部から伸長するスリット（４ｄ）が設けられる。この水平部の挿通孔もしくはスリット（４ｄ）は、アイボルト（３）のネジ部を挿通可能であるが、アイボルト（３）の首部より狭い幅を有する。これにより、ＡＬＣパネル（１）の吊り上げに際して、予めＬ字金具（４）をＡＬＣパネル（１）の上端小口面状に脱落しないように載置できると共に、Ｌ字金具（４）の固定後に、該アイボルト（３）の首部を介して、ＡＬＣパネル（１）がパネル取付金具に支持され、もって、ＡＬＣパネル（１）が建物躯体（５）に固定される。
【００２４】
このＬ字金具（４）は、その固定後には、上述のようにＡＬＣパネル（１）をアイボルト（３）を介して支持すると共に、該ＡＬＣパネル（１）の上に配置されるＡＬＣパネル（１）の自重受け金具としても機能する。
【００２５】
なお、Ｌ字金具（４）の水平部（４ａ）に設けられる挿通孔について、その大きさは任意であり、アイボルト（３）のネジを挿通可能で、かつ、アイボルト（３）の首部が脱落しない大きさであればよい。また、その形状は、円形でもよいが、施行時に位置合わせが容易となるように、長孔であることが好ましい。さらには、図２に示すように、屈曲部側から伸長するスリット（４ｄ）として構成してもよい。この場合も、大きさは挿通孔と同様とする。スリット（４ｄ）は、水平部（４ａ）を横断することなく、水平部（４ａ）は、垂直部（４ｂ）と逆側、すなわち、ＡＬＣパネル（１）の外側には、スリットが形成されないようにすることが好ましい。これにより、ＡＬＣパネル（１）が幅方向に揺動した場合に、ＡＬＣパネル（１）の脱落を防止することができる。さらには、Ｌ字金具（４）の垂直部（４ｂ）にも、対応する位置にスリットを設けてもよい。この場合、この垂直部（４ｂ）のスリットの幅は、アイボルト（３）の頭部の厚さ（Ｏリングの厚さ方向）よりも大きい幅とするが、アイボルト（３）の頭部の幅（Ｏリグの幅方向）よりも小さい幅とすることが好ましい。これにより、アイボルト（３）をＡＬＣパネル（１）の上端小口面に埋設されているアンカー（２）に螺合させた後でも、Ｌ字金具（４）を配置することが可能となる。また、ＡＬＣパネル（１）を吊り上げる際に、Ｌ字金具（４）がアイボルト（３）から脱落することを防止できる。
【００２６】
アイボルト（３）については、基本的な構造は、公知のものと同様である。ただし、アイボルト（３）のネジ部は、従来のものよりも長いものであることが好ましい。すなわち、まず、本発明においては、アイボルト（３）とＡＬＣパネル（１）の上端小口面の間にＬ字金具（４）が配置されるため、このＬ字金具（４）の厚みを考慮する必要がある。また、図１に示すように、Ｌ字金具（４）の建物躯体（５）もしくは下地鋼材（６）に対する取付位置の精度などの理由により、縦に隣接するＡＬＣパネル間には遊びを含む空隙が形成される。よって、ＡＬＣパネル（１）の下端小口面を、自重受け金具を兼ねる下側のパネルのＬ字金具（４）の上に載置した場合、ＡＬＣパネル（１）の上端小口面とＬ字金具（４）の下面の間に空隙が生ずる。さらには、ＡＬＣパネル（１）の上端小口面に設けるアンカー用孔の形成の精度などから、アンカー（２）の上端がＡＬＣパネル（１）の上端小口面と同一水準ではなく、それよりも孔内の下方側に位置しうる。したがって、様々な条件に対応させるためには、アイボルト（３）の首下のネジ部の長さを１０〜３０ｍｍ程度とすることが好ましい。例えば、縦に隣接するＡＬＣパネル（１）間の空隙が１０ｍｍで、アンカー（２）の上端がＡＬＣパネル（１）の上端小口面から１０ｍｍ程度下に位置する場合、アイボルト（３）のネジ部とアンカー（２）の螺合する長さを１０ｍｍ程度とすれば、該ネジ部の長さは３０ｍｍ程度とすることが好ましい。
【００２７】
なお、本発明に用いる軽量コンクリートパネル（１）としては、上端小口面に開口する孔にアンカー（２）が埋設されていて、かつ、アイボルト（３）の頭部を収容可能な凹部が下端小口面に設けられているものを用いる。アンカー用の孔は、一般的には、上端小口面の中央部に設けられる。その深さは、上述の通り、アンカー（２）とアイボルト（３）の螺合が取付金具に十分な取付強度を付与するものであればよく、用いられるアンカー（２）の長さなどにより任意に決定される。凹部も、アイボルト（３）の位置に対応して、下端小口面の中央部に設けられる。これにより、基本的には、下側に配置されるＡＬＣパネル（１）に取り付けられたアイボルト（３）を収容することが可能である。ただし、位置のズレなどを考慮して、凹部の開口はアイボルト（３）の頭部の幅方向の大きさより若干大きくしておく。また、深さはアイボルト（３）の頭部が収容できればよく、用いられるアイボルト（３）の頭部の大きさにより任意に決定される。
【００２８】
本発明に係る軽量気泡コンクリートパネルの取付方法では、まず、アンカー（２）が上端小口面に埋設されているＡＬＣパネル（１）に対して、アイボルトのネジ部をアンカーに螺合させることにより、アイボルト（２）を取り付ける。
【００２９】
次に、Ｌ字金具（４）のスリット（４ｄ）内にアイボルト（３）のネジ部の一部が位置するように、Ｌ字金具（４）を垂直部（４）側からＡＬＣパネル（１）の上端小口面上に移動させる。その後、アイボルト（３）をさらに回転させて、Ｌ字金具（４）の垂直部とアイボルト（３）の頭部の幅方向が平行となるようにして、Ｌ字金具（４）がアイボルトから脱落しないようにしてもよい。
【００３０】
そして、アイボルト（１５ｂ）をシャックルなどの吊り具を介して引上げ用のワイヤなどに接続させ、ＡＬＣパネル（１）を所定位置まで吊り上げる。
【００３１】
取り付けに際しては、まず、下側のＡＬＣパネル（１）の上端小口面上に伸長しているアイボルト（３）と取り付ける上側のＡＬＣパネル（１）の下端小口面の凹部を位置合わせして、下側のＡＬＣパネル（１）の上端小口面上で、アイボルト（３）の下方にあるＬ字金物（４）上に、上側のＡＬＣパネル（１）を載置する。
【００３２】
次に、取り付ける上側のＡＬＣパネル（１）の上端小口面上にあるＬ字金物（４）の垂直部（４ｂ）の内側を、上側の建物躯体（５）に固定されている下地鋼材（６）である定規アングルの外側の垂直面に溶接にて取り付ける。これにより、上側のＡＬＣパネル（１）の上部が建物躯体（５）に対して取り付け固定される。
【００３３】
その後、ＡＬＣパネル（１）の下端部寄りに設けられ、主面内側に開口を有するアンカー孔に埋設されている埋設アンカーを、下側の建物躯体（５）の定規アングルにイナズマ金物とボルトを用いて固定する。これにより、ＡＬＣパネル（１）の下部が建物躯体（５）に対して取り付け固定される。
【００３４】
以上、本発明について、図面を参照して１つの実施態様に基づいて説明したが、本発明はその変更および改良をも含むものである。例えば、実施態様では、パネル取付金物は、ＡＬＣパネルの幅方向１箇所に設けられるが、複数箇所に設けられてもよい。あるいは、ＡＬＣパネル（１）を吊り上げる前に、Ｌ字金具（４）の垂直部（４ｂ）を上端小口面上で下向きにしてアイボルト（３）を取り付けて吊り上げ、Ｌ字金具（４）の垂直部（４ｂ）を下側の建物躯体（５）の定規アングルに固定して取り付けてもよい。このような変更および改良は、本発明に包含される。
【図面の簡単な説明】
【００３５】
【図１】本発明に係るＡＬＣパネルの取付金具を用いて、ＡＬＣパネルを建物躯体に対して取り付けた状態を示す断面図である。
【図２】本発明のパネル取付金具を構成するＬ字金具の斜視図である。
【図３】本発明のパネル取付金具を用いた取付状態における、該パネル取付金具の下地鋼材（建物躯体側）とアンカー（ＡＬＣパネル側）に対する関係を示す斜視図である。
【図４】従来のＡＬＣパネルの取付金具を用いたＡＬＣパネルを示す斜視図である。
【図５】従来のＡＬＣパネルの取付金具を用いたＡＬＣパネルを示す斜視図である。
【符号の説明】
【００３６】
１  ＡＬＣパネル
２  アンカー
３  アイボルト
４  Ｌ字金具
４ａ  水平部
４ｂ  垂直部
４ｃ  屈曲部
４ｄ  スリット
５  建物躯体
６  下地鋼材
１１  アンカー用孔
１２  Ｏボルト用孔
１３  吊金具用孔
１４  アンカー
１５  吊金具
１５ａ、１６ａ  挿通孔
１５ｂ  アイボルト
１６  Ｏボルト
１７  取付金具
１８  長孔
１９  ナット
２０  アンカー用孔
２１  取付ボルト用孔
２２  パイプアンカー
２３  Ｔ字状取付金具
２４  取付ボルト
Ｃ  中央位置
【図１】
2009084945.tif 000003
【図２】
2009084945.tif 000004
【図３】
2009084945.tif 000005
【図４】
2009084945.tif 000006
【図５】
2009084945.tif 000007